(57)【要約】携帯型電子的施工データインターフェース及び追跡装置は、建設プロジェクト又はサブプロジェクトのために施工会社から書面の施工データ又は電子的施工データを受信し、特定製品の決定、必要条件のマーキング及びプロジェクト管理計算の実行に利用する装置又は製品レベルのデータを提供するように情報を再書式設定するソフトウェアプログラムへ情報を転送するホストシステムを含む。ホストシステムはまた、データを標準的なフォーマットかつ単一ソフトウェアパッケージで管理し、複数の関係者で共有される現場システムから施工データになされた修正レベルや変更を管理し、データを分析して上記データに何らかの変更があればレポートを生成し、作業完了によりプロジェクトの進捗を追跡し、電子メールを用いてソフトウェアにより情報を配信し、特定の場所、装置又はシステムに基づいて終端データをソーティングし、配送されるべき製品に対する注文を生成する。
2006517041.tif 000002
【特許請求の範囲】
【請求項１】
ホストシステムと、上記ホストシステムと通信可能な現場システムとを備えた携帯型システムであって、
データベース又はスプレッドシートから、建設プロジェクトの少なくとも一部に関する施工情報を受信し、
識別用品を印刷することと、ワークパッケージを準備することと、使用した資材を追跡することと、上記建設プロジェクトに使用した資材のレポートを生成することとのうち１つ又は複数での使用に適したフォーマットに上記情報を書式設定する携帯型システム。
【請求項２】
識別用品に対する注文を生成することと、上記注文の履行を管理することとをさらに行う請求項１記載の携帯型システム。
【請求項３】
上記注文の履行を管理することは、終了レポートを生成することを含む請求項２記載の携帯型システム。
【請求項４】
上記注文の履行を管理することは、引き出しカードを生成することを含む請求項２記載の携帯型システム。
【請求項５】
遠隔追跡機能を提供し、使用した資材及び投入した人時（マンアワー）のうち１つ又は複数によって測定したプロジェクトの進捗を検証して定量化することをさらに行う請求項１記載の携帯型システム。
【請求項６】
上記ホストシステム及び現場システムの一方又は両方と通信可能な印刷システムをさらに備えた請求項１記載の携帯型システム。
【請求項７】
上記ホストシステム又は現場システムは、ラベルの内容、書式設定及び印刷順序に関する情報を上記印刷システムに伝送する請求項１記載の携帯型システム。
【請求項８】
上記建設プロジェクトの少なくとも一部は、電力サブプロジェクトである請求項１記載の携帯型システム。
【請求項９】
発注された少なくとも１つのラベル又はマーカーは、電気機器、ケーブル、又は電気的終端のためのものである請求項２記載の携帯型システム。
【請求項１０】
上記少なくとも一つのラベルは、終了レポートと共に配送される請求項９記載の携帯型システム。
【請求項１１】
少なくとも１つのケーブルラベルがケーブル付属品キットと共に配送される請求項９記載の携帯型システム。
【請求項１２】
同一の建設工区向けの複数の製品を含む少なくとも１つのマスターカートンに対する注文が生成され、上記マスターカートンの内容に係るレベル基準は予め選択されている請求項２記載の携帯型システム。
【請求項１３】
ケーブル長に係る必要条件の見積もり長さと、現場設置ログと、使用したケーブルの実際の長さと、ケーブルが引き出されたリールとのうち１つ又は複数を対象とするレポートを生成することをさらに行う請求項１記載の携帯型システム。
【請求項１４】
ａ）建設プロジェクト又はサブプロジェクトに係る書面による施工データ又は電子的施工データを受信することと、
ｂ）識別用品の印刷、ワークパッケージの準備、使用される資材の追跡、及び上記建設プロジェクトに使用した資材についてのレポートの生成のうち１つ又は複数での使用に適したフォーマットに上記データを編成するソフトウェアプログラムへ、当該データを転送することとを含むビジネス方法。
【請求項１５】
上記書式設定された情報は、１つ又は複数の異なるレベルに応じて識別用品を製造することと、マーキングの必要条件を確立することと、プロジェクト管理計算を実行することとのうち１つ又は複数を行なうために使用される請求項１４記載のビジネス方法。
【請求項１６】
識別用品に対する注文を生成することをさらに含む請求項１４記載のビジネス方法。
【請求項１７】
上記識別用品は、プロジェクト進捗のマイルストーンに従い、生成されるか、配送されるか、もしくは生成されかつ配送される請求項１４記載のビジネス方法。
【請求項１８】
ケーブル長に係る必要条件の見積もり長さと、現場設置ログと、使用したケーブルの実際の長さと、ケーブルが引き出されたリールとのうち１つ又は複数を対象とするレポートを生成することをさらに含む請求項１４記載のビジネス方法。
【請求項１９】
ａ）建設プロジェクトの電力サブプロジェクトに係る書面による施工データ又は電子的施工データを受信することと、
ｂ）上記受信したデータをユーザによって理解されるフォーマットに変換する一意的なテンプレートをソフトウェアプログラム内に生成することと、
ｃ）上記データを上記ソフトウェアプログラムへ転送して、特定の識別用品に係る必要条件の決定と、マーキングの必要条件の決定と、電力プロジェクトのプロジェクト管理計算の実行とに用いる終端点データを提供することと、
ｄ）ケーブルの敷設、ルート設定及びマーキングの目的のために、上記ソフトウェアプログラム内における共通のフォーマットで上記終端点データを管理することと、
ｅ）施工データの変更を管理し、必要な識別用品に対して上記データへの変更がどのように影響を与えるかを分析し、上記データに対して行われたすべての変更についてのレポートを生成することと、
ｆ）作業完了によって上記プロジェクトの進捗を追跡することと、
ｇ）上記ソフトウェアによりインターネットを用いて情報を配信することと、
ｈ）特定の工区、装置、システム、ケーブル又は電線により終端データをソーティングすることと、
ｉ）電気識別用品に対する注文を生成することと、
ｊ）サプライチェーンの処理に係るフロー情報を、発注、処理及び履行の自動化されたステップとして当該処理に一体化することを含む請求項１４記載のビジネス方法。
【請求項２０】
作業完了により上記プロジェクトの進捗を追跡するステップは、達成された実働時間を追跡して完了した割合を計算することにより実現される請求項１９記載のビジネス方法。
【請求項２１】
製品の発注と、製品の再発注と、資材管理と、プロジェクトの追跡との１つ又は複数について無線周波数識別を利用することをさらに含む請求項１９記載のビジネス方法。
【請求項２２】
上記ソフトウェアによって、発注された製品のインボイスを電子的に生成してインターネットを介して上記インボイスを配信することをさらに含む請求項１９記載のビジネス方法。
【請求項２３】
上記インボイスが電子メールにより送信される請求項１９記載のビジネス方法。
【請求項２４】
請求項２記載のシステムにより発注された電力サブプロジェクトに係る特定の必要条件を満たす一組のワイヤマーカーを含むキットを備えた物品であって、
上記マーカーは、現場とは別の場所で印刷され、上記マーカーの意図された送り先を示すラベルが付与されたパッケージで配送される物品。
【請求項２５】
請求項２記載のシステムにより選択されかつ発注された識別用品のグループを備えた物品。
【請求項２６】
上記製品は少なくとも１つのマスターカートンに編成されている請求項２４記載の物品。
【請求項２７】
請求項１記載のシステムにより構成された建設プロジェクトの単一の装置又は工区向けの製品を含むマスターカートンを備えた物品。
【発明の詳細な説明】
【技術分野】
【０００１】
本発明は、製品及びサービスのカスタマイズ及び配送に係る作業工程及び設計データと、プロジェクトの作業及びスケジュールの管理と、建設プロジェクトにおける資材の管理とを統合するための、ハードウェアによって支援されたシステム及びビジネス方法に関する。
【背景技術】
【０００２】
本特許出願は一部継続出願であり、２００２年１２月１３日に出願された米国特許出願シリアル番号第１０／３１９，０３５号に係る優先権の利益を主張するものである。
【０００３】
建設業界においては、複数の施工図面、青写真及びスプレッドシートが、プロジェクト（工事）と、電気工事や機械的工事等のすべてのサブプロジェクト（部分工事）と、それらの構成部品とに係る正確かつ適時な施工や組み立てのために必須の情報を含んでいるのが一般的である。業界では典型的には、紙に書かれたこの情報をデータベースに転送し、プロジェクトを構築しまた管理するビジネスに関わるその他の関係者に手で渡していた。ここで、上記その他の関係者は、下請け業者、販売業者及び供給業者、ならびに現場管理者等の関係者を含む。構成部品の個数は、その見積もり値を推定するか又は手で数えてから発注されていた。その結果、膨大な時間がかかるか、あるいは過少又は過剰に見積もりされた発注がなされるかのいずれかが生じたり、もしくはその両方が生じたりしていた。過少に見積もりされた発注は調整を要し、すなわち新たな部品を待つ間に作業員は時間を無駄にしてしまう。過剰に見積もりされた発注は、結果として、余分な書類作成作業、返金要求、再び在庫として戻すための代金、廃棄資材等を生じさせる。
【発明の開示】
【発明が解決しようとする課題】
【０００４】
建設中に生じた変更、「建設されたもの」と計画との相違、ならびにそのような変更に関する書き写しの際の誤記は、これらの問題をさらに悪化させる。必要とされる部品のタイミング及び数量を伝達する現行の方法には、電子的変更処理と、手書き書類と、離れた場所にあるプリンタへの転送と、ハンドヘルド型の手動で装填するプリンタとがある。これらのシステムはすべて、整合性に欠け、動作が低速で、かつエラーを生じやすい。
【０００５】
これらの問題は、電力プロジェクト（電気工事）のような、建設における資材集約的なサブプロジェクトにおいて特に困難なものになる。何十万点もの電線（ワイヤ）やケーブルに対して一貫性を保ちながらマーキングし、及び／又はラベル付与する必要がある。マーキング及び識別は、接地されたシステムの保守に用いるため、接地状況、システムの立ち上げ、及び「建設されたもの」における変更と同様に極めて重要である。現行の作業工程には、必要に応じて現場でハンドヘルド型装置を用いてマークを印刷することが含まれる。多くの場合、タグのいくつかは、（例えば製版所で）印刷するために発送される。これらの工程により遅延や余分なステップが生じ、その管理が必要となる。
【０００６】
当業界には、プロジェクト管理と、電気ケーブル、電線及びシステムの識別のための工程が存在する。現行のシステムは、程度の差はあるにせよ、統合データベース、コンピュータ支援設計（ＣＡＤ）方式の作図システム、紙図面作成及び内部文書管理システムを利用している。問題は、これらのシステムが、個々のプロジェクトを担当するプロジェクトマネージャ（工事管理者）に特有のものとなりがちな点にある。従って、複数のプロジェクト及び複数のサブプロジェクトが、異なるシステムを用いて管理されている可能性がある。これらのシステムや作業工程は、容易に引き継ぎ可能なものではなく、特定の個人に帰属したものとなる。このため、製品の一貫性が失われて、プロジェクト自体の適時性やコストに悪影響を与える恐れがある。
【０００７】
建設業界の請負業者、下請け業者、建築家、販売業者、所有者及びその他の間に緊密な連携を提供するシステムを有することが望ましい。自動化されたシステムと、上記自動化されたシステムを使用してビジネスを遂行する方法とが開発されれば、紙文書をかき回すことや、計算及び再計算や、旧式システムから発生する返品の大部分が取り除かれる。
【課題を解決するための手段】
【０００８】
本発明に係る１つの態様は、ホストシステムと、当該ホストシステムと通信可能な現場システムとを含む携帯型システムであって、上記携帯型システムは、
電力サブプロジェクト等の、建設プロジェクトの少なくとも一部に関する施工情報をデータベース又はスプレッドシートから受信し、
当該情報を、１つ又は複数の印刷識別用品での使用に適したフォーマットに書式設定し、
複数のワークパッケージを準備し、
使用する資材を追跡し、
当該建設プロジェクトで使用された資材についてのレポートを生成することが可能である。
【０００９】
一実施形態に係る携帯型システムは、識別用品に対する注文を生成し、注文の履行を管理することができ、これには、終了レポートを生成すること、及び／又は引き出しカード（pull card）を生成することが含まれていてもよい。
【００１０】
もう１つの実施形態に係る携帯型システムは、使用した１つ又は複数の資材と投入した人時（マンアワー）とにより測定されたプロジェクト進捗を検証しまた定量化するための、遠隔追跡機能を提供することができる。
【００１１】
もう１つの実施形態に係る携帯型システムは、ホストシステム及び現場システムの一方又は両方と通信可能な印刷システムを含む。ホストシステム及び／又は現場システムは、ラベルの内容、書式設定及び印刷順序に関する情報を印刷システムに伝送することができる。
【００１２】
もう１つの実施形態に係る携帯型システムでは、発注された少なくとも１つのラベル又はマーカーは、電気機器（電気的装置）、ケーブル、又は電気的終端のためのものである。ラベルは、終了レポート及び／又はケーブル付属品キットと共に配送されてもよい。
【００１３】
もう１つの実施形態に係る携帯型システムは、ケーブル長に係る必要条件の見積もり長さ（又は推定値）と、現場設置ログと、使用したケーブルの実際の長さと、ケーブルが引き出されたリールとのうち１つ又は複数を対象とするレポートを生成することができる。
【００１４】
もう１つの実施形態に係る携帯型システムでは、同一の建設現場の工区（エリア）向けの複数の識別用品を含む少なくとも１つのマスターカートンのための注文が生成され、当該マスターカートンの内容に係るレベル基準は事前に選択されている。
【００１５】
本発明に係るもう１つの態様はビジネス方法であって、上記ビジネス方法は、
建設プロジェクト又はサブプロジェクトに係る書面による施工データ又は電子的施工データを受信するステップと、
識別用品を印刷することと、ワークパッケージを準備することと、使用される資材を追跡することと、当該建設プロジェクトのために使用される資材についてのレポートを生成することとのうちの１つ又は複数での使用に適したフォーマットに上記データを編成するソフトウェアプログラムへ当該データを転送するステップとを含む。
【００１６】
もう１つの実施形態に係るビジネス方法では、書式設定された情報を用いて、１つ又は複数の異なるレベルに従って識別用品を製造することと、マーキングの必要条件を確立することと、プロジェクト管理の計算を実行することとのうち１つ又は複数を行なうことができる。
【００１７】
もう１つの実施形態に係るビジネス方法は、識別用品に対する注文を生成することを含む。上記識別用品は、プロジェクト進捗のマイルストーンに従い生成され、及び／又は配送される。
【００１８】
もう１つの実施形態に係るビジネス方法は、ケーブル長に係る必要条件の見積もり長さと、現場設置ログと、使用したケーブルの実際の長さと、ケーブルが引き出されたリールとのうちの１つ又は複数を対象とするレポートを生成することを含む。
【００１９】
もう１つの実施形態に係るビジネス方法は、
建設プロジェクトの電力サブプロジェクトに係る書面による施工データ又は電子的施工データを受信することと、
受信されたデータをユーザによって理解されるフォーマットに変換する一意的なテンプレートをソフトウェアプログラム内に生成することと、
データを上記ソフトウェアプログラムへ転送して、特定の識別用品に係る必要条件の決定と、マーキングに係る必要条件の決定と、電力プロジェクトのプロジェクト管理計算の実行とに用いる終端点データを提供することと、
ケーブル敷設と経路決定とマーキングとを目的として、終端点データを上記ソフトウェアプログラムにおける共通のフォーマットで管理することと、
施工データの変更を管理し、必要な識別用品に対して上記データへの変更がどのように影響を与えるかを分析し、上記データに対して行われたすべての変更についてのレポートを生成することと、
作業完了によってプロジェクトの進捗を追跡することと、
ソフトウェアによりインターネットを用いて情報を配信することと、
特定の工区、装置、システム、ケーブル又は電線により終端データをソーティングすることと、
電気に関連した識別用品に対する注文を生成することと、
サプライチェーンの処理に係るフロー情報を、発注、処理及び履行の自動化されたステップとして当該処理に一体化することとを含む。
【００２０】
もう１つの実施形態に係るビジネス方法では、作業完了によりプロジェクトの進捗を追跡するステップは、達成された実働時間を追跡して、完了した割合を計算することにより実現できる。
【００２１】
もう１つの実施形態に係るビジネス方法は、製品の発注と、製品の再発注と、資材管理と、プロジェクトの追跡とのうちの１つ又は複数のために無線周波数識別を利用することを含む。
【００２２】
もう１つの実施形態に係るビジネス方法は、ソフトウェアが、発注された製品のインボイス（送り状）を電子的に生成して、インターネットを介して上記インボイスを配信するステップを含む。インボイスは電子メールで送信されてもよい。
【００２３】
本発明のその他の態様に従い、携帯型システムを用いて識別用品を各種の形式や組み合わせで発注することができる。例えば、電力サブプロジェクトのための特定の必要条件を満たす１組のワイヤマーカーを含むキットが発注されてもよい。マーカーは別の場所で印刷されて、上記マーカーの送り先を示すラベルが付与されたパッケージの形式で配送されてもよい。発注された識別用品は、少なくとも１つのマスターカートンに編成することができる。１つのマスターカートンは、携帯型システムにより設定された、建設プロジェクトに係る単一の装置又は工区向けの識別用品を含むことができる。
【００２４】
ここで用いる用語は以下の意味を有する。
【００２５】
１．用語「工区（エリア）」は、建設プロジェクトにおける３次元の地理的領域を意味する。
２．用語「マスターパック」及び「マスターカートン」は、プロジェクトでの特定の（複数の）システム又は（複数の）工区における１つの装置に関連付けられた複数の製品を含むカートンを意味する。複数の製品は、互いに類似していても、同一であっても、又はまったく異なっていてもよい。
３．用語「終端点」は、電気的接続が行なわれる位置又は点に関するデータを示す。
４．用語「レースウェイ（配線管）」は、コンジット（導管）やケーブルトレイのような、電線やケーブルのホルダーを示す。
５．用語「履行」は、発注された製品を手配して、それらを要求に応じて梱包し、要求された場所へそれらを時間通りに配送することを意味する。用語「携帯型システム」は、移動できる場所を含む、異なる複数の場所でシステムが使用可能であることを意味する。現場システムは携帯型ハードウェアを含んでいてもよいが、この用語は、ホストシステム及び現場システムの両方についてすべてのハードウェアが携帯型でなければならない、ということを意味するものでも要求するものでもない。
６．用語「ミラーデータセット」は、元のデータセットの複製を意味する。
７．用語「識別用品」、「タグ」、「マーカー」、「マーク」及び「ラベル」は、入れ替え可能であるように用いている。
８．用語「レベル」は、建設プロジェクトにおける異なる具体性のカテゴリを示す。例えば、工区、システム、装置、ケーブル／回路、及び電線の順に、具体性のレベルが上がっている。
【発明の効果】
【００２６】
本発明の少なくとも１つの実施形態に係る利点は、マーカーに係る情報を提供すること、マーカーを印刷する方法を決定すること、マーカー上に含まれる情報を書式設定すること、及びマーカーを印刷すること等の作業を実行する際の誤りに起因する非効率さ及び遅延が除去され、あるいは最小化されるということにある。
【００２７】
本発明の少なくとも１つの実施形態に係る利点は、識別用品を印刷して編成することに要する労力を軽減することにある。
【００２８】
本発明の少なくとも１つの実施形態に係る利点は、電気的終端、ケーブル、コンジット、レースウェイ、ケーブルトレイ、設備及び計器にラベルを付与する際のコストについてより効率的な方法を請負業者に提供することにある。
【００２９】
本発明の少なくとも１つの実施形態に係る利点は、電線の管理及びリスク管理を向上させることと、作業のやり直しを削減することと、建物の保守において、建設された際の工事記録文書の利用を可能にすることとにある。
【発明を実施するための最良の形態】
【００３０】
本発明に係る１つの態様では、ホストシステムと、現場システムと、オプションのプリンタシステムとを含む携帯型システムを提供する。ホストシステムは典型的には、ハードウェア構成要素と、少なくとも１つのソフトウェアプログラムとを含む。現場システムとオプションのプリンタシステムとは、ソフトウェアをホストシステムと共有し、コンピュータ又は携帯情報端末等のハードウェア構成要素を含む。ここで、上記ハードウェア構成要素は、建設プロジェクトに関連する施工情報をデータベース又はスプレッドシートから受信し、全体的な仕様書の作成に利用できるように情報を書式設定し、特定の建設プロジェクトに係る当該仕様書に製品及びサービスを提供することができる。当該携帯型システムは、製品に対する特別な注文を生成すること、発注の履行を管理すること、ならびに、ＰＤＡを介してコンピュータを使用してプロジェクトの進捗を検証しまた定量化する遠隔追跡機能を提供することとが可能である。
【００３１】
本発明に係るもう１つの態様では、ホストシステムを用いて建設用品に対する特別注文を生成するビジネス遂行方法を提供するものであって、ここで上記ホストシステムは、建設プロジェクトに係る書面による情報又は電子的情報を施工会社から受信し、部品レベルのデータを提供するように当該情報を再書式設定するソフトウェアプログラムへ当該情報を転送する。上記部品レベルのデータは、特定製品を決定することと、必要条件をマーキングすることと、電力プロジェクトのプロジェクト管理に係る計算を行うこととに使用される。
【００３２】
一実施形態において、当該ビジネス遂行方法は、当該プロジェクトでの電気的特性に関する「終端点」レベルにおける自動化された情報であって、特定製品を決定することと、必要条件をマーキングすることと、必要な電気部品及びサブコンポーネントについて、電力プロジェクトのプロジェクト管理に係る計算を行うこととに使用される情報を提供する。自動化されたシステムは、ケーブル敷設、経路設定、マーカーその他のための「終端点」データを標準的なフォーマットかつ単一のソフトウェアパッケージで管理し、複数の関係者の間で、施工データになされた改訂レベル及び変更を管理し、データを分析して「変更」のみについてレポートを生成し、作業の完了及び生産性の観点からプロジェクトの進捗を追跡し、現場での携帯性を維持するように、電子メールを用いたソフトウェアにより再書式設定された情報を配信し、特定の場所、装置又はシステムに基づいて終端データをソーティングし、電気識別用品の配送についての注文を生成する。
【００３３】
ビジネス遂行方法の別の実施形態では、工区、エンクロージャ又は装置、そのような工区、エンクロージャ又は装置に従い要求されたラベルのグループを選択し、当該グループのすべてのラベルを印刷する。これ以外のデータ入力は必要とされない。
【００３４】
本発明に係るもう１つの態様は、ホストシステムを含む携帯型の電子的施工データインターフェース及び追跡装置であり、上記ホストシステムは、建設プロジェクト又はサブプロジェクトに係る書面による施工データ又は電子的施工データを施工会社から受信し、特定製品を決定することと、必要条件をマーキングすることと、プロジェクト管理に係る計算を行うこととに使用するための装置又は製品レベルのデータを提供するように上記情報を再書式設定するソフトウェアプログラムへ当該情報を転送し、データを標準的なフォーマットかつ単一のソフトウェアパッケージで管理し、複数の関係者の間で共有される現場システムから、施工データになされた改訂レベル及び変更を管理し、データを分析して上記データに対するいかなる変更についてもレポートを生成し、作業完了によりプロジェクトの進捗を追跡し、携帯性のために、電子メールを用いたソフトウェアにより情報を配信し、特定の場所、装置又はシステムに基づいて終端データをソーティングし、製品の配送についての注文を生成する。
【００３５】
本発明に係るもう１つの態様は、マッピングされた作業工程と、終端点情報を含めるための施工データの入力とに基づく電子データインターフェースシステムである。本発明はその一態様において、データを収集してフィルタリングして編成することと、識別用品のためのデータシーケンスを生成することと、施工上の改訂について連絡することと、資材及びワークフローをカスタマイズすることと、詳細なプロジェクト管理の追跡及び分析を行うことと、特定のプロジェクトの建設側に関する資材管理及び傾向分析を行うこととのための標準的なフォーマットを提供するツールである。このことは、製品レベルを用いることによって可能であり、又は電力プロジェクトの場合、資材の見積もり及び仕様決定、進捗レポートの生成、傾向分析、及び電気的識別に必須の「終端点」データを用いることによって可能である。
【００３６】
本発明に係るもう１つの態様では、建設プロジェクトの電力部分及び計器部分の両方に係る電気設計データを記述した情報を、例えば施工設計会社から収集する。このタイプの情報は例えば、レースウェイ、装置、識別資材及び電気的終端の設置と、設計情報の受領及び／又は入力に基づく記録及びレポートの生成とに関係する。本発明に係るもう１つの態様は、設置日時、設置したレースウェイ及びケーブルの実際の長さ、プロジェクト記録、現場での設計変更を収集する方法を提供する。本発明に係るもう１つの態様では、マーカーの書式設定、発注及び印刷を行なう。本発明に係るもう１つの態様は、ワークパッケージ及びケーブル管理の統括を容易にする。本発明に係るもう１つの態様は、これらの機能を提供するとともに、施工上の計算を実行し、また、作業生産性を追跡すべくデータクエリーを実施する。
【００３７】
本発明に係る他の態様は、先の態様のうちの２つ以上を組み合わせたものである。特に、ある態様は、先の態様のすべてを１つの統合化されたシステムに組み合わせたものを提供する。これらの態様を組み合わせることにより、生産性の向上、使用した資材の正確な追跡及びレポート生成、ワークパッケージ及び印刷ラベルの効率的な準備、ならびにケーブル管理の改善をもたらすことが可能である。
【００３８】
終端データを含むデータの収集とマーキング工程の管理とをより効率的に行なうことにより、本発明に係る態様は、プロジェクトマネージャがマーカーの印刷や編成に煩わされることなくプロジェクトに専念できるようにする。
【００３９】
物理的システム／ソフトウェア．
物理的なシステムは、少なくとも２つのインターフェース構成要素、すなわちホストシステム及び現場システムを有し、さらにオプションとして印刷システムを有する。これらのシステムは、ホストシステム、現場システム及びプリンタシステムを含む携帯型システムを生成するソフトウェアに基づいている。ソフトウェアは、ユーザと、ラベル印刷業者と、その他プロジェクト完了のためにこれを使用する必要があるすべての関係者とにライセンス供与することができる。
【００４０】
ホストシステムは、マスターデータベースを含んでいてよく、データ転送用の中央ハブであってよい。これは典型的には、少なくとも１つのソフトウェアプログラムと、少なくとも１つのハードウェア構成要素とを含む。ホストシステムは、プロセッサ、データベース、管理者、ユーザ、製造業者、プリンタ等とのインターフェースを有することができる。ホストシステムは、システム上に入力されたすべてのプロジェクトに関する記録を格納することができる。現場システムは、遠隔の場所にある分散データベースであってよい。これは典型的には、コンピュータ又は携帯情報端末等のハードウェア構成要素を含む。現場システムは典型的には、請負業者及び施工者が使用するように設計される。プリンタシステムは、印刷する必要がある情報を含む印刷ジョブの受信と、書式設定やフォントサイズを含む情報の印刷と、ラベルの印刷と、印刷工程状況の提供とを行なうためのインターフェースデータベースである。
【００４１】
ホストシステム．
施工データは、直接的に、又は現場システム経由でホストシステムへ入力される。データは、データベース入力（テキスト）又はバーコード入力により、キーボードか、ポインタの移動及びクリックか、あるいはその両方を用いて現場システムへ入力することができる。データは手作業で入力してもよいが、例えばディスク又は電子メールを介して、好適にはスプレッドシート形式で電子的に転送する方が好ましい。
【００４２】
ホストデータベースは、顧客に固有のテンプレートの設計、実装、及び保守を可能にする。例えば、各種のデータカテゴリを確立することができる。各カテゴリは、複数の異なる英数字識別子及びシーケンスを有していてもよい。情報のカテゴリは、ドロップダウンメニューやチェックボックス等を用いて、制御された一貫性のある方法で提示されることが可能である。このことを、現場システムのデータ入力画面である図１に示す。このように、ユーザは、制御された語彙又は制御された選択肢からのデータ入力を強いられる。しかしながら、テンプレートは、ユーザ独自の用語を使用するようにカスタマイズ可能である。
【００４３】
図２に示すように、異なる識別カテゴリからの情報でラベル画面が占められる。この情報は、終端の場所に関する特定の情報を伝達するようにラベル上に印刷されることが可能である。例えば、図３は、書式設定されたラベルのプレビューを含む画面を示す。最初のラベルでは、「ＣＣ３９１ＡＢ」は回路番号を示し、「１−Ｃ（＋）」は終端点を示し、「ＣＣＲ」は装置を示すことが可能である。
【００４４】
ホストシステムは、ユーザのデータの一意的な用語／設定に基づいてテンプレートを生成することができ、建設プロジェクトのワークフロー工程毎にデータを書式設定することができる。例えば、ホストシステムは、一連の引き出しタグ、ワイヤマーカー、ケーブルマーカー、トレイタグ、設備タグ、ならびに特定の建設作業に必要とされる他の任意のタイプの識別タグ用のテンプレートをセットアップすることができる。顧客から求められた情報には、ケーブル仕様と、巡回及び工期スケジュールと、識別用品の製品仕様、例えばタグのタイプ、現場及び識別用連続番号、印刷フォント及びサイズとが含まれていてもよい。
【００４５】
本システムにおいてロードされて追跡されることが可能な情報のカテゴリの例には、以下のものが含まれる。
【００４６】
回路識別番号、回路識別用の付加情報（使用する場合）、複数のケーブル、設計長の見積もり値、ケーブルの設計情報、関連した電気機器、回路の物理的場所、回路が関連付けられるシステム又はサービス、転用（turnover）システム情報、回路が図示された図面の番号、ならびにユーザ定義情報等の、回路情報；
レースウェイ識別番号、レースウェイのタイプ又は構成、回路の物理的場所、回路が関連付けられたシステム又はサービス、転用システム情報、レースウェイが図示された図面の番号、ならびにユーザ定義情報等の、レースウェイ情報；
各回路について、ポイント・ツー・ポイントで逐次に順序付けられたレースウェイ経路等の、回路経路情報；
設備識別番号、設備のタイプ又は構成、設備の物理的場所、設備が関連付けられたシステム又はサービス、転用システム情報、設備が図示された図面の番号；
転用システム、及び必要に応じて設定される顧客独自の識別子等の、ユーザ定義情報。
ケーブルのタイプに基づく電線リール、一意的な識別子によりタグ付けられたリール、在庫システム、履歴データ（実際の値）に基づく電線使用量の予測、ならびに回路用の電線リールの事前又は事後割当て等の、電線管理情報；及び、
回路の追跡、レースウェイの設置の追跡、設備の設置の追跡、設置されたものすべてに係る実際の長さ及び数量、電線の在庫の更新、ならびに顧客へのレポート生成の要否。
【００４７】
ホストシステムは、すべてのアーカイブ済みデータを保存し、所有者、施工者、又は請負業者等、多数の関係者のいずれかによりデータに加えられたあらゆる改訂又は変更を管理する。追加又は変更データは、ホストシステムに直接入力されてもよく、あるいは現場システムを介して入力されかつ登録されてもよい。データが入力されるか又は変更される毎に、システムにロードされるデータが完全かつ正確であることを検証するようにユーザへレポートを送ることができる。データベースが最終的に確定される前に、ユーザからの（書面又は口頭での）承認が必要とされてもよい。
【００４８】
収集した情報に基づいて生成された記録はデータベース内に格納され、レポートを生成するために検索して利用することができる。この情報はまた、プロジェクトマネージャらが終端処理作業指示の進捗を追跡するために有用な可能性もある。システムは、設計変更等の変更が、既に設置されたものにどの程度の影響を与えるかを示すレポートを提供することができ、このことは、変更又は修正を行なうために何の追加資材が必要であるかに関する情報を提供することを含む。レポートはエクスポートされることが可能であり、スケジュールの状況や追跡のためにコンピュータネットワークを介してプロジェクトマネージャら又はその他へ配信されてもよい。一実施形態においては、レポートを生成して、プロジェクトマネージャへ自動配信することができる。レポートは、添付ファイルとして、又はウェブページへのリンクとして、電子メール経由で配信することができる。レポートは、ワードプロセッサで処理された文書、スプレッドシート、あるいはＨＴＭＬ又はＸＭＬ文書の形式であってよい。クエリー及びレポートを生成する際には、例えば、顧客へ送られるレポートに建設会社のロゴを表記できるように、カリフォルニア州パロアルトのクリスタル・ディシジョンズ（Crystal Decisions）から商品名クリスタルレポーツ（CRYSTAL REPORTS）で販売されているインテリジェントビジネスソフトウェアプログラムを使用可能である。レポート以外に、本システムは発注された製品のインボイスを生成することができる。インボイスは電子的に生成されて、電子メール経由を含む、インターネット経由で配信することができる。
【００４９】
現場システム．
現場システムは、建設工程専用に設計されていて、携帯型である。本システムは、ワシントン州レッドモンドのマイクロソフト  コーポレーション（Microsoft Corporation）から商品名ウインドウズ（WINDOWS）で販売されている３２ビットのオペレーティングシステム上で動作することができる。商品名ウインドウズ（WINDOWS）の下で利用可能なソフトウェアは、マイクロソフト  コーポレーションにより所有され、開発されている。マイクロソフト  コーポレーションから商品名ウインドウズの下で利用可能なオペレーティングソフトウェアの有用なバージョンには、ＷＩＮＤＯＷＳ９５、ＷＩＮＤＯＷＳ９８、ＷＩＮＤＯＷＳ  ＭＥ、ＷＩＮＤＯＷＳ  ＮＴ、ＷＩＮＤＯＷＳ２０００、及びＷＩＮＤＯＷＳ  ＸＰＰｒｏｆｅｓｓｉｏｎａｌ又はＷＩＮＤＯＷＳ  ＸＰ  Ｈｏｍｅが含まれる。これらは本システムと互換性を有し、本システムは、好適ならばアップル  コンピューター  インコーポレイテッド（Apple Computer Inc.）のオペレーティングシステムであるマックネイティヴ（Mac Native）にも移植可能である。本システムを利用するには２０メガバイト以上のハードディスクドライブ空間があれば十分である。他の適当なオペレーティングシステムとして、ユニックス（Unix）及びリナックス（Linux）と、パーム（Palm）に基づく携帯情報端末（ＰＤＡ）と、Ｗｉｎｄｏｗｓ  ＣＥその他の類似のオペレーティングシステムと、タッチスクリーンディスプレイを有する対話型キオスクと、インターネット機能を装備した無線電話機と、その他のインターネット装置とが含まれていてもよい。
【００５０】
現場システムはまた、引き出しカード、終端カード（開始時に終端処理されたもの及び終了時に終端処理されたもの）、設置ログ及び終端シートを装置により生成するために使用されてもよい。これは実行可能なレポート及びクエリーに追加されるものである。これらの文書は、作業工程を支援するために使用可能であり、電気主任又は監督者が電気技師又は設置作業者にこれらの文書を渡す。
【００５１】
本システムにより、ユーザは、毎日の設置状況、資材使用、及び作業の完了した割合を管理し、また追跡することも可能である。例えば、図４に示すように、ケーブル長に係る必要条件の見積もり長さを本システムに記録することができる。ケーブルを引き出す際に、特定のレースウェイを通るように引き出されるすべてのケーブルの一覧を示す現場設置ログを生成することができる。図５に現場設置ログのサンプルを示す。この情報は、「引き出しカード」の形式で印刷することができ、この「引き出しカード」は、所定のレースウェイに対して引き出される必要のあるすべてのケーブルについて設置作業者に通知するものである。ケーブルが設置されるとき、使用されたケーブルの実際の長さと、ケーブルが引き出されたリールとを記録することもでき、その情報は図６に示すようなレポートのフォーマットで生成可能である。このケーブル／電線の追跡及び管理機能により、電線及びケーブルを過度に引き回すこと、緊急に引き回す事態となること、及び作業のやり直しの防止に役立つ。
【００５２】
現場データベースは、設計施工会社のデータベースに基づいて、データ入力のための許容されるカテゴリ選択肢のリストをユーザに提供してもよい。この予めロードされた情報には、工区、システム（例えばＡＣ）、ケーブル及びレースウェイ等に係る指定事項が含まれていてもよい。一連の指定事項が、ラベル付けすべき品目の場所を示す。
【００５３】
現場データベースは、時間に依存したパスワードにより、プロジェクト別に起動することができる。換言すれば、現場システムは、パスワードが期限切れになるか又は一定時間期間が経過した後では、指定された（又はすべての）変更あるいは情報の受理を停止する。これにより、顧客は情報のアーカイブ化された複製を保存しながら、しかも異なるプロジェクトにソフトウェアが使い回されることを防止できる。
【００５４】
現場システムは、以下の特徴を含んでいてもよい。
【００５５】
ユーザのセットアップ；
回路へのシステム指定事項の割り当て；
回路への転用システム指定事項の割り当て；製品発注（あらゆるタイプのラベリング）；回路の設置−引き出されたケーブル、回路の設置−終端処理された電線、レースウェイの設置、電機設備の設置、ならびに受容されまたケーブルが引き出されるケーブルのリールを含む、プロジェクト追跡のためのデータ入力；
回路レポート、レースウェイレポート、回路経路レポート、電気設備レポート、電線管理レポート、及び各種雑務支援レポートを含む、実施レポート；ならびに、
ホストへの同期化、ホストからの同期化、ラベル要求、及びラベル状況を含む、データの同期化。
【００５６】
印刷システム．
印刷及びラベル組み立てサービスを提供することも可能である。印刷は、ホストシステム又は現場システムを用いて管理されまた実行されてもよく、あるいは、別個の印刷システムを携帯型システムに含めるようにしてもよい。印刷システムを用いる場合、印刷及びラベル組み立てはサードパーティーによって、例えばラベル製造会社によって行なわれてもよい。ラベル製造会社は、ホストシステムを管理している業者、又は現場システムを管理している業者との契約下にある場合がある。ラベルの注文は、ホストシステムを管理している業者、又は現場システムを管理している業者によりなされてよい。
【００５７】
印刷システムは、データベース内のデータを書式設定してマーカーラベル上に印刷するソフトウェアを含む。このソフトウェアは典型的には、同じ大きさとタイプのタグを必要とするシステム、装置又はケーブルのすべてに従ってタグを印刷する。次いでタグは、カスタマイズされたワークパッケージの必要に応じてソーティングされ、グループ化される。あるいは、印刷システムは工区に従ってデータをソーティングして印刷してもよい。しかし、この印刷方法は、情報が印刷されているタグのタイプを頻繁に変更することを必要とする場合がある。この方法を用いるのであれば、ソフトウェアは、新たなタイプのタグをプリンタに設置する必要があるという指示を提示するのが好適であり、変更を行なえるように印刷を停止することが好適である。
【００５８】
ホストシステム、現場システム及び印刷システムは、同期化できるように相互接続されている。これにより、あるシステムから別のシステムへ情報及びプログラムの改訂版を転送することが可能になる。ソフトウェアに対する変更及び改良は、現場システム及び印刷システムへ電子的に送信することができる。
【００５９】
顧客入力値のピラミッド．
個々の顧客は、各プロジェクトに係る入力のレベルを決定し、従ってシステムからの実現可能な応答のレベルを決定する。図７に示すように、顧客は、単に選択操作を行うことによって、例えば、ソフトウェア内のボックスをクリックして印刷されるべきシステムマーク及びラベル（図７におけるピラミッド最上部の「ラベル」）をシステムに指示することによって、カスタマイズされた電気識別用品を作業工程のフォーマットで配送されるように発注することができる。図からわかるように、このレベルの応答のためには、入力は必要とされない。顧客は、情報の入力を所望する場合、特定の作業が完了したことを入力（又は「チェック」）することができ、電力プロジェクトの全体では、利用可能な進捗及び状況レポート生成機能がある（図７におけるプロジェクト進捗状況）。顧客が、当初の施工見積もりに対する「実際に」設置された長さ及び数量、すなわち変動を入力する場合、プロジェクトの専門性及び一般的な資材傾向分析が利用可能になる（図７における傾向分析）。このタイプの情報はまた、製造業者及び配送業者に対し、予測及び資材準備完了の機能を提供する（図７における資材準備完了）。ケーブル及び電線のリールに番号が割り当てられていて、顧客がソフトウェアにその情報を入力したならば、資材及び電線管理システムは適切な状態にある（図７における電線の処理）。３つの簡単なステップを実装することにより、正確なマーキング、プロジェクト進捗及び状況、資材の傾向分析及び管理（又は統制）の利用を通じてプロジェクトをより良好に管理することが可能になる。
【００６０】
通信フロー．
図８は、本システムの通信フローの概略図である。「現場」データと以前の「施工」データとの間の改訂版の伝送は、ホストシステムを介して管理される。伝送（又は通信）は、電子メールによる同期化を用いて、ＳＭＴＰ／ＰＯＰ３サーバのプラットフォームを介して行われることが可能である。各データセットのミラーコピーがデータベース内に置かれ、現場においてアップロードされたすべての更新版がサーバ内へダウンロードされ（図８の現場システム内への「アップロード」と記載されている）、次いでホストサーバへダウンロードされて、変更のために符号化される。更新版の詳細及び受信は、ミラーデータセットが更新される前に検証されて確認される。図８に示すように、ホストは次いで、それらの更新版を現場へダウンロードして戻す。転送の影響及びレポートのログが、重大でないか又は予想された変更、在庫の重大な変更、又は識別の影響に関する情報を提供する。すべての変更について、日時のタイムスタンプが記録される。ホストシステムもまた、変更を印刷システムへ伝送することができる。
【００６１】
ホストシステム、現場システム及びプリンタシステムへのアクセスは、ユーザ識別情報及びパスワード等のセキュリティ手段により制御されてもよい。さらに、いくつかの実施形態では、ユーザが有するアクセスレベルを制御することが望ましい場合がある。このこともまた、ユーザ識別情報及びパスワード等のセキュリティ手段により実現することができる。
【００６２】
資材及びワークフローのカスタマイズ．
図９は、本発明に係る携帯型システム及びビジネス方法を用いて得られる作業工程及び資材の準備及び輸送（staging）の概略図である。
【００６３】
ユーザは、識別資材を発注し、実際の値を入力し、プロジェクトの追跡及び傾向分析のために設置の日付を入力し、改訂の更新及びデータ転送のためにホストシステムと同期を取ることができる。工程の「識別」部分は、コンジット、レースウェイ、設備、計器、電線、ケーブル、安全標識等のために使用される製品仕様を定義し、印刷方法、フォーマット及び印刷すべき情報と、作業工程及びスケジュールに関連してどのようにタグを配送するかとを決定する。施工者は、設計（図９の施工データ）を生成する。次いで施工データは、ホストシステム内で所定の形式から有用なテンプレートに変更される。ここで、上記有用なテンプレートは、建設作業を遂行するユーザに固有の方法を基準とすることが可能である。図面に示すように、更新版はホストシステムと現場システムの間で電子メールで送信される。電力プロジェクトの場合、システム内のデータとツールが、電気識別及び終端の必要性によって要求とされる特定の製品タイプの仕様を提供する。この方法には、記述したシステムを介して、承認用サンプルを発注して印刷すること、資材の数量を計算し、範囲を調査し、続いてプロジェクトの価格を決定することが含まれる。印刷すべき情報と、資材を発注して印刷し、次いで装置において準備する際の組織的編成及び物流とを決定するためにデータ全体にわたってソーティングするのに要する時間と労力が大幅に削減される。
【００６４】
プロジェクトデータは、一意的なテンプレートを介して現場バージョンに変換される。顧客に対しては、建設工程及びその資産管理に使用される施工データ及びソフトウェアツールを含む上記バージョンが提供される。本システムは携帯型で、遠隔動作可能であり、上述の同期化処理を用いて更新されることができる。
【００６５】
本発明に係る一態様は、各種のプロジェクトシステム、装置、工区、又は当該プロジェクトの特定ワークフロー工程用に入力された他の基準に関する製品情報をソーティングするビジネス遂行方法を提供する。例えば、すべての識別用品を示すとともに、ケーブル長と、特定のケーブルトレイ及びそれに接続するすべての電線を設置するために必要な付属品とを示す情報をソーティングすることができる。電力プロジェクトの場合、この製品情報（ケーブルＩＤ、電線ＩＤ、設備ＩＤ、コンジット及びトレイＩＤ）は、システム、装置、工区、ケーブル等によりソーティングされる。製品は、顧客からの選択によって、発注され、印刷され、配送され、及び建設現場で準備される。電力プロジェクトの場合、顧客はマーカーのソーティング必要条件（工区、システム、装置）を選んで、部品やサービスを発注する。
【００６６】
情報は、マーカーに取り付け可能な無線周波数識別（ＲＦＩＤ）タグに含まれていてもよい。このタグは、スキャナで読み取り可能な識別情報を含んでいてもよい。スキャナで読み取られた情報を用いて、タグの位置や、取り付けられているか否かを判定することができる。ＲＦＩＤタグを利用して、製品の発注、製品の再発注、資材管理、及びプロジェクト追跡を支援することができる。この情報は、例えばスキャナにより、現場システムへ送信されて、設置の進捗状況を更新することができる。当該情報はさらにホストシステムへ送信されてもよい。
【００６７】
データが一意的に構成されていることから、詳細なプロジェクト管理と、資材の傾向分析と、レポート生成とのための根拠が得られる。達成された実働時間やクロスセクション分析等に関する管理情報はすべて、ケーブルや設備の業界標準及び仕様に基づく詳細なデータベース情報を介して得ることができる。本発明に係る一態様では、図１０に示すように、特定の回路にケーブルを提供するために用いるリールを記録することによりケーブル管理を可能にする。情報のレポートは異なる形式で生成可能である。例えば図１１に、タイプ／工区によるケーブル長の一覧のレポートを示す。図１２に、タイプ／工区による時間の一覧のレポートを示す。図１３に、ケーブルの在庫及び使用量のレポートを示す。作業完了や、建設された際の変更等は、同期化処理を介してＰＤＡから現場システムへ伝達され、また現場システムからホストシステムへ伝達されることが可能である。現場システムは、プロジェクト自体に係る「建設されたもの」の構成のコピーとなって、保守機能のために使用可能になる。建設されたものの構成のコピーは、設計、資材又は識別用品に影響を与える可能性のある将来的な変更を正確に特定するのに役立てることができる。火災又は損傷を被った後で現場システムの各部分を建て直す能力や、トラブルシューティングの能力や、定期的な保守に係る追跡はすべて、完了したプロジェクトデータを保有することの主要な属性である。本システムを用いて、カスタマイズされたワークパッケージを提供することができる。カスタマイズされたワークパッケージは、あるプロジェクトの工区を仕上げるために必要な各種の物品のキット又は集合体である。例えば、モーターとモーター制御装置との間の動力システムに作成されている接続の場合、カスタマイズされたワークパッケージは、モーター接続キット、突出部（ラグ）、ハードウェア、及び本システムの特定部分用のカスタムラベルを含んでいてもよい。計器とコントロールパネルとの間の接続の場合、カスタマイズされたワークパッケージは、終了レポート／ログ、引き出しカード、終端カード、ケーブル付属品キット、ケーブルタグ、及び電線マークを含んでいてもよく、これらのすべては、例えばエアコンディショナやボイラー等の装置によって編成されてよい。引き出しカード、終端カード等は、現場の状況により損傷を受けることがないように、防水性と引き裂き耐性を有する用紙に印刷されていてもよい。
【００６８】
当業者は容易に変型物を作成することができるので、本明細書は限定的であることを意図するものではなく、本発明の範囲はただ請求項により画成されるものとなる。
【図面の簡単な説明】
【００６９】
【図１】各種カテゴリの情報を入力することが可能な、本発明に係る態様を示す対話型コンピュータ画面のデジタル画像である。
【図２】発注用のラベルを選択することが可能な、本発明に係る態様を示す対話型コンピュータ画面のデジタル画像である。
【図３】印刷されるラベルのプレビューを閲覧することが可能な、本発明に係る態様を示す対話型コンピュータ画面のデジタル画像である。
【図４】ケーブル長に係る必要条件の見積もり長さを推定することが可能な、本発明に係る態様を示す対話型コンピュータ画面のデジタル画像である。
【図５】ケーブル設置用の「引き出しカード」を生成することが可能な、本発明に係る態様を示す対話型コンピュータ画面のデジタル画像である。
【図６】設置されたケーブルに係るレポートを生成することが可能な、本発明に係る態様を示す対話型コンピュータ画面のデジタル画像である。
【図７】ユーザの要求に基づいて必要とされる、本発明に係る携帯型システムからのデータ入力量の概略図である。
【図８】本発明に係る１つの態様の携帯型システムにおける通信フローの概略図である。
【図９】本発明に係る携帯型システム及びビジネス方法を用いることで得られる作業工程と資材の準備及び輸送の利点を示す概略図である。
【図１０】特定の回路用のケーブルが引き出されるリールを記録することが可能な、本発明に係る態様を示す対話型コンピュータ画面のデジタル画像である。
【図１１】設置されたケーブルに係るタイプ／工区によるレポートを生成することが可能な、本発明に係る態様を示す対話型コンピュータ画面のデジタル画像である。
【図１２】人時に係るタイプ／工区によるレポートを生成することが可能な、本発明に係る態様を示す対話型コンピュータ画面のデジタル画像である。
【図１３】ケーブルの在庫及び使用量についてのレポートを生成することが可能な、本発明に係る態様を示す対話型コンピュータ画面のデジタル画像である。
【図１】
2006517041.tif 000003
【図２】
2006517041.tif 000004
【図３】
2006517041.tif 000005
【図４】
2006517041.tif 000006
【図５】
2006517041.tif 000007
【図６】
2006517041.tif 000008
【図７】
2006517041.tif 000009
【図８】
2006517041.tif 000010
【図９】
2006517041.tif 000011
【図１０】
2006517041.tif 000012
【図１１】
2006517041.tif 000013
【図１２】
2006517041.tif 000014
【図１３】
2006517041.tif 000015